(57)【要約】【課題】２つの携帯電話機を使用可能な機器であって、先に着信を受けた携帯電話機との通話を常に優先させることのできるハンズフリー機器を提供する。【解決手段】第１携帯電話機１０及び第２携帯電話機２０の２台の携帯電話機それぞれと近距離無線通信を行うことができるハンズフリー機器１００であって、第１携帯電話機１０からの通話開始の通知を受信して第１携帯電話機１０による通話が終了するまでの間に第２携帯電話機２０から接続要求信号を受信した場合には、ハンズフリー機器１００と第１携帯電話機１０との間の接続状態に関わらず、第２携帯電話機２０からの接続要求を拒絶する。【選択図】図１
2015154461.tif 000002
【特許請求の範囲】
【請求項１】
第１携帯電話機及び第２携帯電話機の２台の携帯電話機それぞれと近距離無線通信を行うことができるハンズフリー機器であって、
前記第１携帯電話機からの通話開始の通知を受信して前記第１携帯電話機による通話が終了するまでの間に前記第２携帯電話機から接続要求信号を受信した場合には、前記ハンズフリー機器と前記第１携帯電話機との間の接続状態に関わらず、前記第２携帯電話機からの接続要求を拒絶することを特徴とするハンズフリー機器。
【請求項２】
前記第１携帯電話機からの着信信号を受信後、前記第１携帯電話機とのｅＳＣＯ接続を行い、前記第１携帯電話機からの通話開始の通知を受信した後で前記第２携帯電話機からのＳＣＯ接続要求信号又はｅＳＣＯ接続要求信号を拒絶するように設定すると共に、前記第１携帯電話機とのｅＳＣＯ接続を非接続とし、前記第１携帯電話機での音声通話への切り替え処理後に、前記第１携帯電話機との間でｅＳＣＯ再接続を行うことを特徴とする請求項１に記載のハンズフリー機器。
【請求項３】
前記第２携帯電話機からの接続要求を拒絶する時、識別番号の違いによって前記第２携帯電話機であることを判別して拒絶を行うことを特徴とする請求項１又は請求項２に記載のハンズフリー機器。
【発明の詳細な説明】
【技術分野】
【０００１】
本発明は、携帯電話機用のハンズフリー機器に係り、特に２台の携帯電話機を使用可能なハンズフリー機器に関する。
【背景技術】
【０００２】
近年、車両内等において、ハンズフリーシステムを用いた通話が行われるようになってきている。ハンズフリーシステムは、通話を行うための携帯電話機と、近距離無線通信技術を利用したハンズフリー機器によって構成される。一般的に、ハンズフリー機器は、カーナビゲーション機器等の車載電装ユニット内に内蔵されて使用されることが多い。音声通話のためのマイクやスピーカは車両内の運転席近辺に取り付けられている。着信音は携帯電話機によって鳴音させることもできるが、車両内に取り付けられたスピーカによって鳴音させることもできる。着信音を車両内に取り付けられたスピーカによって鳴音させるように構成されたハンズフリーシステムが特許文献１に開示されている。
【０００３】
特許文献１に開示されたハンズフリーシステムを図４に示す。電話機９０３と、この電話機９０３のハンズフリー通話を可能とする車載ユニット９０５とを備えたハンズフリーシステム９０１において、電話機９０３が着信に基づいて音声リンク（ＳＣＯリンク：Ｓｙｎｃｈｒｏｎｏｕｓ  Ｃｏｎｎｅｃｔｉｏｎ  Ｏｒｉｅｎｔｅｄ  リンク）を確立する。電話機９０３が着信音信号を送信する機能を備えていない場合に、車載ユニット９０５に備えた着信音信号発生部９１３で生成した着信音をスピーカ等の音声出力部９１７に出力して着信音を鳴音するようにしている。このように構成することによって、電話機９０３からの着信音信号の送信の有無にかかわらず、電話機９０３が着信したときに車載ユニット９０５側の着信音で着信を通知することができるとしている。
【先行技術文献】
【特許文献】
【０００４】
【特許文献１】特開２００４−１２０１５６号公報
【発明の概要】
【発明が解決しようとする課題】
【０００５】
しかしながら特許文献１に開示されたようなハンズフリーシステム９０１においては、以下のような問題があった。
【０００６】
従来、車載用のハンズフリーシステムで使用される携帯電話機の数は１台のみであることが一般的であった。しかし、携帯電話機の普及に伴って、一人で２台使用する人も現れてきた。また、車両の運転者が有する携帯電話機以外に同乗者の有する携帯電話機も含めると車両内で２台の携帯電話機が使用されることも考えられる。そのため、２台の携帯電話機を使用可能なハンズフリーシステムが必要となってきた。しかし、特許文献１に開示されたハンズフリーシステム９０１では２台の携帯電話機の使用に対応できていない。
【０００７】
また、第１及び第２の２台の携帯電話機を使用可能なハンズフリーシステムであって、かつ、着信音を携帯電話機側ではなく、車両内に取り付けられたスピーカによって鳴音させるように構成されたハンズフリーシステムも考えられている。尚、この場合の着信音は、特許文献１に開示されたような、ハンズフリー機器内で生成されるものではなく、携帯電話機内で生成され、それがハンズフリー機器に送信され、車両内に取り付けられたスピーカによって鳴音させる形態のものである。
【０００８】
このようなハンズフリーシステムでは、外部の電話機から第１の携帯電話機への着信後、ＳＣＯリンクによる接続を行い、着信音を鳴音させた後、携帯電話機内で音声通話に切り換える必要があるが、携帯電話機によっては、その音声通話への切り換えの際に、ＳＣＯリンクを切断しなければならない機種も存在している。従って、ＳＣＯリンクが切断されている期間が発生することになる。そのため、このような機種の携帯電話機を用いた時、ＳＣＯリンクが切断されている間に外部の電話機から第２の携帯電話機へ着信があった場合には、第２の携帯電話機が優先されて、第１の携帯電話機への着信が取り消されてしまうことになってしまっていた。
【０００９】
本発明は、このような従来技術の実情に鑑みてなされたもので、その目的は、２つの携帯電話機を使用可能な機器であって、先に着信を受けた携帯電話機との通話を常に優先させることのできるハンズフリー機器を提供することにある。
【課題を解決するための手段】
【００１０】
この課題を解決するために、本発明のハンズフリー機器は、第１携帯電話機及び第２携帯電話機の２台の携帯電話機それぞれと近距離無線通信を行うことができるハンズフリー機器であって、前記第１携帯電話機からの通話開始の通知を受信して前記第１携帯電話機による通話が終了するまでの間に前記第２携帯電話機から接続要求信号を受信した場合には、前記ハンズフリー機器と前記第１携帯電話機との間の接続状態に関わらず、前記第２携帯電話機からの接続要求を拒絶する、という特徴を有する。
【００１１】
このように構成されたハンズフリー機器は、第１携帯電話機からの通話開始の通知後、第１携帯電話機による通話が終了するまでの間は、第１携帯電話機との接続状態に関わらず第２携帯電話機からの接続要求を拒絶するようにしたので、先に着信のあった第１携帯電話機による通話を常に優先させることができる。
【００１２】
また、上記の構成において、前記第１携帯電話機からの着信信号を受信後、前記第１携帯電話機とのｅＳＣＯ接続を行い、前記第１携帯電話機からの通話開始の通知を受信した後で前記第２携帯電話機からのＳＣＯ接続要求信号又はｅＳＣＯ接続要求信号を拒絶するように設定すると共に、前記第１携帯電話機とのｅＳＣＯ接続を非接続とし、前記第１携帯電話機での音声通話への切り替え処理後に、前記第１携帯電話機との間でｅＳＣＯ再接続を行う、という特徴を有する。
【００１３】
このように構成されたハンズフリー機器では、第１携帯電話機とのｅＳＣＯ接続が非接続となっている状態においても、第２携帯電話機からの接続要求を拒絶するので、第１携帯電話機との間のｅＳＣＯ再接続を確実に行うことができる。
【００１４】
また、上記の構成において、前記第２携帯電話機からの接続要求を拒絶する時、識別番号の違いによって前記第２携帯電話機であることを判別して拒絶を行う、という特徴を有する。
【００１５】
このように構成されたハンズフリー機器では、第２携帯電話機からの接続要求を拒絶する時に、識別番号を使用するので、第１携帯電話機と第２携帯電話機との違いを確実に判別して拒絶を行うことができる。
【発明の効果】
【００１６】
本発明のハンズフリー機器は、第１携帯電話機からの通話開始の通知後、第１携帯電話機による通話が終了するまでの間は、第１携帯電話機との接続状態に関わらず第２携帯電話機からの接続要求を拒絶するようにしたので、先に着信のあった第１携帯電話機による通話を常に優先させることができる。
【図面の簡単な説明】
【００１７】
【図１】本発明の実施形態に係るハンズフリー機器を含むハンズフリーシステムのブロック図である。
【図２】ハンズフリー機器と携帯電話機との関係を示すシーケンスチャートである。
【図３】ハンズフリー機器と携帯電話機との関係を示すシーケンスチャートである。
【図４】従来例に係るハンズフリーシステムのブロック図である。
【発明を実施するための形態】
【００１８】
［実施形態］
以下、本発明の実施形態について、図面を参照しながら説明する。
【００１９】
最初に、実施形態に係るハンズフリー機器を含むハンズフリーシステムの構成について図１を用いて説明する。
【００２０】
図１は、本発明の実施形態に係るハンズフリー機器１００を含むハンズフリーシステム９０の構成例を概略的に示すブロック図である。
【００２１】
図１に示すように、ハンズフリーシステム９０は、ハンズフリー機器１００を備えた車載電装ユニット６０、車内に持ち込まれる第１携帯電話機１０、及び車内に持ち込まれる第２携帯電話機２０によって構成されている。
【００２２】
車載電装ユニット６０は、例えば走行経路誘導（カーナビゲーション）機能を有するほか、オーディオ再生機能やビデオ再生機能、ラジオ、テレビ等の受信機能等を有する。このため車載電装ユニット６０には、液晶ディプレイ等を用いた表示部５や、図示しないプッシュスイッチ、キースイッチ、回転つまみ等を有した操作部６が付属するほか、オーディオ出力用のスピーカ３、集音用のマイク４等の周辺設備が付属している。尚、マイク４は通常、運転者が運転中に音声入力できるように運転席の周辺に設置される。
【００２３】
ハンズフリー機器１００は、上記の周辺設備を制御する制御部２を内蔵するほか、Ｂｌｕｅｔｏｏｔｈ（登録商標）規格（以下の説明では、Ｂｌｕｅｔｏｏｔｈ（登録商標）を「ＢＴ」と略称するものとする）に準拠した近距離無線通信機能を有したＢＴモジュール１を内蔵している。なお、制御部２は、例えば中央処理装置であるＣＰＵ２ａを内蔵する他、図示しないＲＯＭ、ＲＡＭ等のメモリデバイスを備えたマイクロコンピュータである。このためＢＴモジュール１は、ハンズフリー機器１００内のＣＰＵ２ａをホストとしてＢＴ通信を用いたサービス、例えばＳＣＯ接続による接続等の無線接続を提供することができる。 
【００２４】
第１携帯電話機１０及び第２携帯電話機２０は、無線通信を用いて電話回線に接続することができる電話機部１２及び電話機部２２をそれぞれ有した携帯機器であり、外部の電話機（図示せず）と通話することができる。外部の電話機としては、固定電話機であっても良いし、別の携帯電話機であっても良い。
【００２５】
第１携帯電話機１０及び第２携帯電話機２０にもそれぞれＢＴモジュール１１及びＢＴモジュール２１が内蔵されており、ハンズフリー機器１００内のＢＴモジュール１との間でＢＴ規格による近距離無線通信を行うことができる。 
【００２６】
ハンズフリーシステム９０は、第１携帯電話機１０又は第２携帯電話機２０とハンズフリー機器１００とを無線接続により音声接続（ＳＣＯ接続）させた状態で、いわゆる「ハンズフリー通話」機能を提供することができる。ハンズフリー通話は、車両の乗員であるユーザ、例えば運転者又は同乗者等が第１携帯電話機１０又は第２携帯電話機２０を手に持たずとも、車載のスピーカ３やマイク４を通じて外部の電話機との間で通話を実現するものである。尚、第１携帯電話機１０及び第２携帯電話機２０それぞれが同時にハンズフリー通話を行うことはできない。
【００２７】
第１携帯電話機１０又は第２携帯電話機２０からの音声通話データは、車載電装ユニット６０内でアナログ信号に変換され、図示しないアンプを通じてスピーカ３に出力される。また、マイク４で拾った音声通話データは、ＳＣＯ接続によりＢＴモジュール１から第１携帯電話機１０又は第２携帯電話機２０にパケット送信される。これにより、例えば第１携帯電話機１０又は第２携帯電話機２０からＢＴ通信で受信した音声通話データをスピーカ３から出力したり、逆にマイク４で拾った音声を第１携帯電話機１０又は第２携帯電話機２０に転送したりすることが可能になる。
【００２８】
ＢＴモジュール１は、近距離無線通信回路（図示せず）を内蔵していると共に、ハンズフリー機器１００内でＢＴアンテナ（図示せず）に接続されており、これら無線通信回路及びＢＴアンテナにより他のＢＴ機器と通信を行うことができる。なお、ＢＴアンテナはＢＴモジュール１内に内蔵されていてもよい。 
【００２９】
次に、第１携帯電話機１０又は第２携帯電話機２０とハンズフリー機器１００との接続の関係について説明する。
【００３０】
従来、通話時における音声信号等のサンプリング周波数に８ＫＨｚを用いる手法、即ち、ナローバンドスピーチ（Ｎａｒｒｏｗ  Ｂａｎｄ Ｓｐｅｅｃｈ）が一般的に用いられている。また最近では、通話時の音声の音質を向上させるために、サンプリング周波数を８ｋＨｚの２倍の１６ｋＨｚとしたワイドバンドスピーチ（Ｗｉｄｅ Ｂａｎｄ Ｓｐｅｅｃｈ）を採用する手法が用いられるようになってきた。ワイドバンドスピーチを採用した場合、通話時における音声の認識率を高めることができる。更に最近では着信音の音質を向上させる用途にも、ワイドバンドスピーチ（Ｗｉｄｅ Ｂａｎｄ Ｓｐｅｅｃｈ）を採用する携帯電話機が登場している。
【００３１】
一般的に、携帯電話機が通話音声等の音質を向上させるためワイドバンドスピーチを採用した場合、ハンズフリー機器もワイドバンドスピーチに対応している必要がある。また、着信音にワイドバンドスピーチを採用した場合も、携帯電話機及びハンズフリー機器がワイドバンドスピーチに対応している必要がある。
【００３２】
また、ハンズフリー機器がワイドバンドスピーチに対応するには、通常のナローバンドスピーチの場合に用いられているＳＣＯ接続ではなく、ｅＳＣＯ接続（拡張ＳＣＯ接続）と呼ばれる接続方法を用いる必要がある。言い換えれば、携帯電話機及びハンズフリー機器をｅＳＣＯ接続で接続すれば、ワイドバンドスピーチによって通話時の音声の音質又は着信音の音質を向上させることができる。尚、ｅＳＣＯ接続ではなくＳＣＯ接続の場合は、ナローバンドスピーチしか取り扱うことしかできないが、ｅＳＣＯ接続では、ナローバンドスピーチ及びワイドバンドスピーチの双方を取り扱うことができる。
【００３３】
また、着信音にワイドバンドスピーチを採用した場合、携帯電話機では、着信音から通話音声に切り換える際にハンズフリー機器との間のｅＳＣＯ接続を一端切断する必要がある。この処理は、通話をワイドバンドスピーチで行うかナローバンドスピーチで行うかに関わらず必要になる。
【００３４】
このような、着信音及び通話音声の音質を向上させるためにワイドバンドスピーチを利用した場合の、ハンズフリーシステム９０におけるハンズフリー機器１００と第１携帯電話機１０との接続方法について図２を用いて説明する。尚、第１携帯電話機１０及びハンズフリー機器１００は、共にｅＳＣＯ接続に対応しているものとする。
【００３５】
図２に示したシーケンスチャートにおいて、まず、
ＳＴ０：第１携帯電話機１０に外部の電話機から着信がある。次に、第１携帯電話機１０のＢＴモジュール１１からハンズフリー機器１００のＢＴモジュール１へ、
ＳＴ１：“着信あり”の通知を送信すると同時に、
ＳＴ２：“ｅＳＣＯ接続”の要求を行い、更に
ＳＴ３：“指定の音楽等の着信音”のデータを送信する。
【００３６】
次に、ハンズフリー機器１００において、
ＳＴ４：ＢＴモジュール１とＢＴモジュール１１との間にｅＳＣＯ接続を形成させると共に、
ＳＴ５：指定の音楽等の着信音を車載電装ユニット６０に設けられたスピーカ３からワイドバンドスピーチで鳴音させる。この時点で、ハンズフリー機器１００と第１携帯電話機１０とはｅＳＣＯ接続されている。
【００３７】
次に、ＢＴモジュール１からＢＴモジュール１１へ、
ＳＴ６：“着信通知”を受領したことを”通知する。 
【００３８】
次に、ＢＴモジュール１１からＢＴモジュール１へ、
ＳＴ７：“通信の開始”を通知すると同時に、
ＳＴ８：“ｅＳＣＯ接続の切断”を要求する。
【００３９】
ハンズフリー機器１００では、ＢＴモジュール１１からの“ｅＳＣＯ接続の切断”の要求を受けて、
ＳＴ９：“ｅＳＣＯ接続の切断”を実施する。この時点で、ハンズフリー機器１００と第１携帯電話機１０との間のｅＳＣＯ接続は切断されている。
【００４０】
次に、ハンズフリー機器１００と第１携帯電話機１０とのｅＳＣＯ接続が切断されている状態において、第１携帯電話機１０では、
ＳＴ１０：音声通話への切り換えを行う。そして、ＢＴモジュール１１からＢＴモジュール１へ、 
ＳＴ１１：“ｅＳＣＯ接続”の要求を行う。
【００４１】
次に、ハンズフリー機器１００において、
ＳＴ１２：“ｅＳＣＯ接続”の再接続を行う。この時点からハンズフリー機器１００と第１携帯電話機１０とはｅＳＣＯ接続される。その結果、第１携帯電話機１０は外部の電話機とハンズフリーシステム９０による通話を行うことができる。
【００４２】
以上説明したように、第１携帯電話機１０は、ハンズフリー機器１００を利用して外部の電話機とハンズフリー通話を行うことができる。しかし、本発明のハンズフリー機器１００では、更に次のような機能を追加した。即ち、第１携帯電話機１０からの通話開始の通知を受信して第１携帯電話機１０による通話が終了するまでの間に第２携帯電話機２０から接続要求信号を受信した場合には、ハンズフリー機器１００と第１携帯電話機１０との間の接続状態に関わらず、第２携帯電話機２０からの接続要求を拒絶するようにした。その理由を以下に述べる。
【００４３】
前述したように、第１携帯電話機１０が着信音のモードから音声通話のモードへ切り換える際に、ハンズフリー機器１００と第１携帯電話機１０との間のｅＳＣＯ接続を切断する必要がある。一般的に、２台の携帯電話機を使用可能なハンズフリーシステムでは、先に接続された１台目の携帯電話機との間が接続状態にある時、２台目の携帯電話機からの接続要求は拒絶するように設定されている。しかしながら、本発明のハンズフリー機器１００を含むハンズフリーシステム９０では、先に接続された１台目の携帯電話機である第１携帯電話機１０とハンズフリー機器１００との間のｅＳＣＯ接続が切断されている期間が発生する。
【００４４】
もしも、この第１携帯電話機１０とハンズフリー機器１００との間のｅＳＣＯ接続が切断されている期間において第２携帯電話機２０に着信があり、第２携帯電話機２０から接続要求があった場合、このままだと第２携帯電話機２０との接続が成立し、先に着信したはずの第１携帯電話機１０による通話が取り消されてしまうことになる。そこで、本発明のハンズフリー機器１００では、第１携帯電話機１０からの通話開始の通知を受信して第１携帯電話機１０による通話が終了するまでの間に第２携帯電話機２０から接続要求信号を受信した場合には、ハンズフリー機器１００と第１携帯電話機１０との間の接続状態に関わらず、第２携帯電話機２０からの接続要求を拒絶するようにした。
【００４５】
具体的には、第１携帯電話機１０からの着信信号を受信後、第１携帯電話機１０とのｅＳＣＯ接続を行い、第１携帯電話機１０からの通話開始の通知を受信した後で第２携帯電話機２０からのＳＣＯ接続要求信号又はｅＳＣＯ接続要求信号を拒絶するように設定する。それと共に、第１携帯電話機１０とのｅＳＣＯ接続を非接続とし、第１携帯電話機１０での音声通話への切り替え処理後に、第１携帯電話機１０との間でｅＳＣＯ再接続を行うようにする。このようにすることで、第１携帯電話機１０からの通話開始の通知を受信した後には、第２携帯電話機２０からの接続要求を拒絶することができる。尚、第１携帯電話機１０からの着信信号受信後、第１携帯電話機１０とのｅＳＣＯ接続が確立されている期間については、第２携帯電話機２０からの接続要求を当然拒絶している。
【００４６】
次に、第１携帯電話機１０とハンズフリー機器１００との間のｅＳＣＯ接続が切断されている期間に第２携帯電話機２０へ着信がある場合の、ハンズフリーシステム９０におけるハンズフリー機器１００と第１携帯電話機１０との接続方法について、図３を用いて説明する。
【００４７】
図３に示すように、各ステップはＳＴ２０からＳＴ３５まである。しかし、ＳＴ２０からＳＴ２７までは、図２に示したＳＴ０からＳＴ７までと同一であるので、ＳＴ２０からＳＴ２７までの説明は省略する。
【００４８】
ハンズフリー機器１００では、ＢＴモジュール１１からＳＴ２７の“通話開始”の通知を受けた後、
ＳＴ２８：第２携帯電話機２０からの接続要求に対する拒絶の設定を行う。この時、第１携帯電話機１０のＢＴモジュール１１から、
ＳＴ２９；“ｅＳＣＯ接続の切断”の要求を行う。そして、ハンズフリー機器１００のＢＴモジュール１では、この要求を受けて、
ＳＴ３０：“ｅＳＣＯ接続の切断”を実施する。この時点で、ハンズフリー機器１００と第１携帯電話機１０とのｅＳＣＯ接続は切断されているが、第２携帯電話機２０から接続要求が来たとしても、その接続要求を拒絶することができる。
【００４９】
次に、ハンズフリー機器１００と第１携帯電話機１０とのｅＳＣＯ接続が切断されている状態において、第１携帯電話機１０では、
ＳＴ３１：音声通話への切り換えを行う。そして、ハンズフリー機器１００では、ＳＴ３１と前後して
ＳＴ３２：第２携帯電話機２０からＳＣＯ接続又はｅＳＣＯ接続による接続の要求があったとした場合、
ＳＴ３３：第２携帯電話機２０からの接続要求を拒絶する。尚、第２携帯電話機２０からの接続要求が“ｅＳＣＯ接続要求”であっても、“ＳＣＯ接続要求”であっても、拒絶は行われる。
【００５０】
そして、それと前後して、ＢＴモジュール１１からＢＴモジュール１へ、 
ＳＴ３４：“ｅＳＣＯ接続”の要求を行う。
【００５１】
次に、ハンズフリー機器１００において、
ＳＴ３５：“ｅＳＣＯ接続”の再接続を行う。この時点からハンズフリー機器１００と第１携帯電話機１０とはｅＳＣＯ接続される。従って、第１携帯電話機１０は外部の電話機とハンズフリー通話を行うことができる。尚、第１携帯電話機１０と外部の電話機とのハンズフリー通話が終了した後には、第２携帯電話機２０からの接続要求に対する拒絶の設定は解除される。
【００５２】
以上のように、ハンズフリー機器１００を含むハンズフリーシステム９０では、先に着信した第１携帯電話機１０による外部の電話機とのハンズフリー通話を常に優先することができる。
【００５３】
以上の説明においては、先に第１携帯電話機１０に着信が来て、次に第２携帯電話機２０に着信が来る例を示した。これは、先に着信が来た方を便宜的に第１携帯電話機１０であると仮定しただけであり、もしも先に第２携帯電話機２０に着信が来て、次に第１携帯電話機１０に着信が来た場合は、第１携帯電話機１０からの接続要求を拒絶するように設定し、第２携帯電話機２０のハンズフリー通話を優先させることは言うまでもない。また、第２携帯電話機２０からの接続要求、又は第１携帯電話機１０からの接続要求を拒絶する場合には、第１携帯電話機１０及び第２携帯電話機２０それぞれに与えられた識別番号の違いによって、第１携帯電話機１０であるか第２携帯電話機２０であるかを判別して拒絶を行う。
【００５４】
このように、ハンズフリー機器１００では、第１携帯電話機１０からの通話開始の通知後、第１携帯電話機１０による通話が終了するまでの間は、第１携帯電話機１０との接続状態に関わらず第２携帯電話機２０からの接続要求を拒絶するようにしたので、先に着信のあった第１携帯電話機１０による通話を常に優先させることができる。
【００５５】
また、第１携帯電話機１０とのｅＳＣＯ接続が非接続となっている状態においても、第２携帯電話機２０からの接続要求を拒絶するので、第１携帯電話機１０との間のｅＳＣＯ再接続を確実に行うことができる。
【００５６】
また、第２携帯電話機２０からの接続要求を拒絶する時に、識別番号を使用するので、第１携帯電話機１０と第２携帯電話機２０との違いを確実に判別して拒絶を行うことができる。
【００５７】
以上説明したように、本発明のハンズフリー機器は、第１携帯電話機からの通話開始の通知後、第１携帯電話機による通話が終了するまでの間は、第１携帯電話機との接続状態に関わらず第２携帯電話機からの接続要求を拒絶するようにしたので、先に着信のあった第１携帯電話機による通話を常に優先させることができる。
【００５８】
以上のように、本発明の実施形態に係るハンズフリー機器１００について説明したが、本発明は上記の実施形態に限定されるものではなく、要旨を逸脱しない範囲で種々変更して実施することが可能である。例えば、ハンズフリー機器１００は車載電装ユニット６０に内蔵されているとしたが、家庭用の電子機器に内蔵され、家庭内で使用されるものであるとしても良い。
【符号の説明】
【００５９】
１        ＢＴモジュール
２        制御部
２ａ      ＣＰＵ
３        スピーカ
４        マイク
５        表示部
６        操作部
１０      第１携帯電話機
１１      ＢＴモジュール
１２      電話機部
２０      第２携帯電話機
２１      ＢＴモジュール
２２      電話機部
６０      車載電装ユニット
９０      ハンズフリーシステム
１００    ハンズフリー機器
【図１】
2015154461.tif 000003
【図２】
2015154461.tif 000004
【図３】
2015154461.tif 000005
【図４】
2015154461.tif 000006